(57)【特許請求の範囲】
【請求項１】
試料瓶と、試料瓶内部に挿入され、試料瓶内部に充満する試料液を一定量排除する挿入部を有する蓋体と、からなる試料計量瓶を用いて、一定量の被検水を量り取る工程と、
蓋体を取り外し、試料瓶内部の一定量の被検水にｐＨ測定電極および滴定手段の滴下ノズルを挿入する工程と、
ｐＨ測定しながら滴定手段によって、被検水が予め定めるｐＨとなるように酸滴定を行う工程と、
酸滴定の結果に基づいて全アルカリ度を算出する工程とを含むことを特徴とする全アルカリ度測定方法。
【請求項２】
試料瓶と、試料瓶内部に挿入され、試料瓶内部に充満する試料液を一定量排除する挿入部を有する蓋体と、からなる試料計量瓶を用いて、一定量の被検水を量り取る工程と、
蓋体を取り外し、ｐＨ測定電極、滴定手段の滴下ノズルおよび体積可変手段を備える測定用蓋体で試料瓶を密閉して試料瓶内部の一定量の被検水にｐＨ測定電極および滴定手段を挿入する工程と、
ｐＨ測定しながら滴定手段によって、被検水が予め定めるｐＨとなるように酸滴定を行う工程と、
酸滴定の結果に基づいて全アルカリ度および全炭酸濃度を算出する工程とを含むことを特徴とする全アルカリ度測定方法。
【請求項３】
試料瓶と、試料瓶内部に挿入され、試料瓶内部に充満する試料液を一定量排除する挿入部を有する蓋体と、からなる試料計量瓶を用いて、一定量の被検水を量り取る工程と、
蓋体を取り外し、試料瓶内部の一定量の被検水に比色試薬を加えて発色させたのち滴定手段の滴下ノズルを挿入する工程と、
滴定手段によって、被検水が予め定める発色度合いとなるように酸滴定を行う工程と、
酸滴定の結果に基づいて全アルカリ度を算出する工程とを含むことを特徴とする全アルカリ度測定方法。
【請求項４】
試料瓶と、試料瓶内部に挿入され、試料瓶内部に充満する試料液を一定量排除する挿入部を有する蓋体と、からなる試料計量瓶を用いて、一定量の被検水を量り取る工程と、
蓋体を取り外し、滴定手段の滴下ノズルおよび体積可変手段を備える測定用蓋体で試料瓶を密閉して試料瓶内部の一定量の被検水に滴定手段を挿入する工程と、
滴定手段によって、被検水が予め定める発色度合いとなるように酸滴定を行う工程と、
酸滴定の結果に基づいて全アルカリ度および全炭酸濃度を算出する工程とを含むことを特徴とする全アルカリ度測定方法。
【発明の詳細な説明】
【技術分野】
【０００１】
本発明は、水中、特に海水中の全アルカリ度測定方法に関する。
【背景技術】
【０００２】
水の全アルカリ度は、酸消費量によって規定され、所定のｐＨとなるように水に強酸を滴定し、滴定に要した酸の当量数として定義される。したがって水のｐＨが同じであっても溶存塩の量と種類とによって水の全アルカリ度は異なることになる。
【０００３】
たとえば食塩（ＮａＣｌ）のような中性の塩のみが溶解した水であれば全アルカリ度はない。これに対して、炭酸（Ｈ3ＣＯ3）、ホウ酸（Ｂ（ＯＨ）3）、リン酸（Ｈ3ＰＯ4）、ケイ酸（Ｈ2ＳｉＯ3）のような酸からなる塩が溶解した水であれば、全アルカリ度がある。ホウ酸、リン酸、ケイ酸は水に対する溶解度が小さい、または酸としての解離度が充分小さいため、海水では、全アルカリ度の９５％以上が炭酸塩、炭酸水素塩など炭酸起源の塩によっている。ホウ酸塩による全アルカリ度は数％程度であり、その他の弱酸塩による全アルカリ度はそれより１桁少ない。
【０００４】
従来の全アルカリ度の測定は、一定量の海水をホールピペットなどの計量装置で一定容積分を量り取るかまたは天秤などで一定重量分を量り取り、ビーカなどの開放容器に採取し、塩酸で滴定して、塩酸の滴定量から求めている。しかし、一定量の試料を量り取る操作やそれを開放容器に移し替える操作も必要で操作が煩雑である。さらに、アルカリ度の測定とともに全炭酸の測定も行うならば、開放容器を使用したり、操作時に大気に接触すると、大気から二酸化炭素（ＣＯ２）を海水に吸収したり、逆に、海水中から大気に気散したり正確な測定が出来ない。さらに、滴定中になれば、炭酸の解離した炭酸水素イオン（ＨＣＯ3-）や炭酸イオン（ＣＯ32-）は、中和が進むに従い炭酸（Ｈ2ＣＯ3）となり、さらに炭酸ガス（ＣＯ2）となって採取した海水中から気散するので、大きな誤差になってしまう。また、
【０００５】
このような開放容器に移し替える操作によって生じる誤差をなくすために、密閉型の滴定装置が提案され、非特許文献１に装置の一例が記載されている。
【０００６】
密閉型滴定装置は、外層と内層とから構成され、内層は計量器を兼ね、その内部は海水などの被検水で充満される。内層の上部に蓋体を取付け、余分の被検水は、溢流バルブから内層外へ放出される。蓋体には溢流バルブの外にシリンジ、滴定チップ、ｐＨ電極および温度検出手段が取付けられ、滴定チップから一定濃度の塩酸が滴下され、内層の底部に設けられたマグネティックスターラで、内層内が撹拌され、被検水のｐＨがｐＨ電極で測定される。シリンジは、塩酸を滴下することによる内層内の容積の増加に対応するために設けられており、滴定が進むに従ってシリンジが上昇し内層内の容積を増加させる。
【０００７】
密閉型滴定装置では、滴定を行うための内層が計量器を兼ねるので、計量操作、移し替え操作は単純化されているが、溢流バルブ、ｐＨ電極などが取付けられた蓋体を被検水毎に取外し、取付けせねばならず、その操作は複雑で熟練を要するものである。このため自動化が困難であり、多くの被検水の全アルカリ度を連続して測定することができない。
密閉型滴定装置であって、連続して測定可能な装置が特許文献１に開示されている。
【０００８】
特許文献１記載の測定装置は、測定セルにシリンジ、弁を有する大気開放細管が備えられ、測定セルの外部に計量管が設けられる。大気開放細管に設けられた弁を開くことによって被検水の供給、排出が可能となり、測定の自動化が可能で連続して全アルカリ度を測定することができる。
【０００９】
【非特許文献１】DOE(1994)Handbook of methods for the analysis of the various parameter of the carbon dioxide system in sea water. Version 2, A.G.Dickson & C.Goyet, eds. ORNL/CDIAC-74
【特許文献１】特開２００１−１３３４５１号公報
【発明の開示】
【発明が解決しようとする課題】
【００１０】
特許文献１記載の全アルカリ度測定装置は、連続測定するために構成が複雑化し、コストアップを招く。また、複数の試料液を送液する必要があり、送液手段内に汚れや残液があると試料液と混ざってしまう。送液に時間がかかるので、測定に要する時間が長くなってしまう。
【００１１】
本発明の目的は、取扱操作が簡単で測定時間を短縮できる水中全アルカリ度測定方法を提供することである。
【課題を解決するための手段】
【００１２】
本発明は、試料瓶と、試料瓶内部に挿入され、試料瓶内部に充満する試料液を一定量排除する挿入部を有する蓋体と、からなる試料軽量瓶を用いて、一定量の被検水を量り取る工程と、
蓋体を取り外し、試料瓶内部の一定量の被検水にｐＨ測定電極および滴定手段の滴下ノズルを挿入する工程と、
ｐＨ測定しながら滴定手段によって、被検水が予め定めるｐＨとなるように酸滴定を行う工程と、
酸滴定の結果に基づいて全アルカリ度を算出する工程とを含むことを特徴とする全アルカリ度測定方法である。
【００１３】
また本発明は、試料瓶と、試料瓶内部に挿入され、試料瓶内部に充満する試料液を一定量排除する挿入部を有する蓋体と、からなる試料軽量瓶を用いて、一定量の被検水を量り取る工程と、
蓋体を取り外し、ｐＨ測定電極、滴定手段の滴下ノズルおよび体積可変手段を備える測定用蓋体で試料瓶を密閉して試料瓶内部の一定量の被検水にｐＨ測定電極および滴定手段を挿入する工程と、
ｐＨ測定しながら滴定手段によって、被検水が予め定めるｐＨとなるように酸滴定を行う工程と、
酸滴定の結果に基づいて全アルカリ度および全炭酸濃度を算出する工程とを含むことを特徴とする全アルカリ度測定方法である。
【００１４】
また本発明は、試料瓶と、試料瓶内部に挿入され、試料瓶内部に充満する試料液を一定量排除する挿入部を有する蓋体と、からなる試料軽量瓶を用いて、一定量の被検水を量り取る工程と、
蓋体を取り外し、試料瓶内部の一定量の被検水に比色試薬を加えて発色させたのち滴定手段の滴下ノズルを挿入する工程と、
滴定手段によって、被検水が予め定める発色度合いとなるように酸滴定を行う工程と、
酸滴定の結果に基づいて全アルカリ度を算出する工程とを含むことを特徴とする全アルカリ度測定方法である。
【００１５】
また本発明は、試料瓶と、試料瓶内部に挿入され、試料瓶内部に充満する試料液を一定量排除する挿入部を有する蓋体と、からなる試料計量瓶を用いて、一定量の被検水を量り取る工程と、
蓋体を取り外し、滴定手段の滴下ノズルおよび体積可変手段を備える測定用蓋体で試料瓶を密閉して試料瓶内部の一定量の被検水に滴定手段を挿入する工程と、
滴定手段によって、被検水が予め定める発色度合いとなるように酸滴定を行う工程と、
酸滴定の結果に基づいて全アルカリ度および全炭酸濃度を算出する工程とを含むことを特徴とする全アルカリ度測定方法である。
【発明の効果】
【００１６】
本発明によれば、まず試料計量瓶を用いて、一定量の被検水を量り取り、蓋体を取り外して、試料瓶内部の一定量の被検水にｐＨ測定電極および滴定手段の滴下ノズルを挿入する。ｐＨ測定しながら滴定手段によって、被検水が予め定めるｐＨとなるように酸滴定を行い、酸滴定の結果に基づいて全アルカリ度を算出する。
【００１７】
これにより、試料計量瓶を用いることで、被検水を計量するとともに、試料瓶を測定セルとして用いることができるので、被検水の移し替え操作も必要なく、計量後に速やかに滴定を開始することができる。したがって、全アルカリ度測定に要する時間を短縮することができる。
【００１８】
計量から測定までを１つの容器で行うので、不純物の混入を防ぐことができ、測定精度を向上させることができる。
【００１９】
また本発明によれば、まず試料計量瓶を用いて、一定量の被検水を量り取り、蓋体を取り外して、ｐＨ測定電極、滴定手段の滴下ノズルおよび体積可変手段を備える測定用蓋体で試料瓶を密閉して試料瓶内部の一定量の被検水にｐＨ測定電極および滴定手段を挿入する。ｐＨ測定しながら滴定手段によって、被検水が予め定めるｐＨとなるように酸滴定を行い、酸滴定の結果に基づいて全アルカリ度、全炭酸濃度および、被検水のｐＨを算出する。
【００２０】
これにより、試料計量瓶を用いることで、被検水を計量するとともに、試料瓶を測定セルとして用いることができるので、被検水の移し替え操作も必要なく、計量後に速やかに滴定を開始することができる。したがって、全アルカリ度測定および全炭酸濃度測定に要する時間を短縮することができる。
【００２１】
また、測定用蓋体で試料瓶を密閉して滴定を行うので、全アルカリ度に加えて全炭酸濃度およびを算出することができる。
【００２２】
被検水の移し変え操作を行うと、操作中に被検水が空気に触れることにより二酸化炭素が、空気中から被検水に混入もしくは被検水から空気中へ放出され、正確な全炭酸濃度の測定ができなくなる。本発明では、計量から測定までを１つの容器で行うので、不純物の混入を防ぐことができ、測定精度を向上させることができる。
【００２３】
また本発明によれば、まず試料計量瓶を用いて、一定量の被検水を量り取り、蓋体を取り外して、試料瓶内部の一定量の被検水に比色試薬を加えて発色させたのち滴定手段の滴下ノズルを挿入する。滴定手段によって、被検水が予め定める発色度合いとなるように酸滴定を行い、酸滴定の結果に基づいて全アルカリ度を算出する。
【００２４】
これにより、試料計量瓶を用いることで、被検水を計量するとともに、試料瓶を測定セルとして用いることができるので、被検水の移し替え操作も必要なく、計量後に速やかに滴定を開始することができる。したがって、全アルカリ度測定に要する時間を短縮することができる。
【００２５】
計量から測定までを１つの容器で行うので、不純物の混入を防ぐことができるとともに、大気からの二酸化炭素の吸収や気散を防ぐことができ、測定精度を向上させることができる。
【００２６】
また本発明によれば、まず試料計量瓶を用いて、一定量の被検水を量り取り、蓋体を取り外して、滴定手段の滴下ノズルおよび体積可変手段を備える測定用蓋体で試料瓶を密閉して試料瓶内部の一定量の被検水に滴定手段を挿入する。滴定手段によって、被検水が予め定める発色度合いとなるように酸滴定を行い、酸滴定の結果に基づいて全アルカリ度および全炭酸濃度を算出する。
【００２７】
これにより、試料計量瓶を用いることで、被検水を計量するとともに、試料瓶を測定セルとして用いることができるので、被検水の移し替え操作も必要なく、計量後に速やかに滴定を開始することができる。したがって、全アルカリ度測定および全炭酸濃度測定に要する時間を短縮することができる。
【００２８】
また、測定用蓋体で試料瓶を密閉して滴定を行うので、全アルカリ度に加えて全炭酸濃度、および被検水のｐＨを算出することができる。
【００２９】
計量から測定までを１つの容器で行うので、不純物の混入を防ぐことができ、測定精度を向上させることができる。
【発明を実施するための最良の形態】
【００３０】
以下、本発明の実施形態によって、本発明を具体的に説明する。
本発明の第１実施形態は、開放型滴定装置による全アルカリ度測定方法である。開放型滴定装置では、ｐＨが３．８〜４になるように被検水に一定量の塩酸を添加しスターラでかき混ぜて被検水中の二酸化炭素を追い出す操作を行う。次に、塩酸を少量滴下して、その時の被検水のｐＨ変化をｐＨ電極を用いてモニタリングすることで全アルカリ度を求める。
図１は、本発明の全アルカリ度測定方法に用いる全アルカリ度測定装置１の構成を示す概略図である。図２は、試料計量瓶１０の構成を示す外観図である。図２（ａ）は、試料計量瓶１０を上から見た外観図であり、図２（ｂ）は、試料計量瓶１０を横から見た外観図である。
【００３１】
全アルカリ度測定装置１は、マイクロシリンジポンプ２、酸貯留タンク３、スターラ４、制御部５、温度計６、ｐＨ電極７、試料瓶８を含む。
【００３２】
マイクロシリンジポンプ２は、酸貯留タンク３に貯留される強酸を吸引し、試料瓶８内の被検水に吐出する滴定手段である。全アルカリ度測定では、高精度の滴定が必要とされるので、微小量の吸引、吐出に優れ高精度で送液制御が可能なマイクロシリンジポンプやオートビュレットを用いることが好ましい。
【００３３】
酸貯留タンク３には、酸滴定用の酸が貯留される。タンクとしては、貯留する酸濃度が変化しないように密閉性を備えるとともに酸による腐食に耐性を有するものであればよい。酸滴定に用いられる酸としては、たとえば希塩酸（０．１Ｍ−ＨＣｌ）が用いられる。
【００３４】
スターラ４は、マグネティックスターラなどで実現され、被検水内に投入された回転子４ａを所定の回転速度で回転させ、被検水を撹拌することで滴下された強酸と炭酸塩などのアルカリ成分との反応を促進する。
【００３５】
制御部５は、プリアンプ５ａ、インターフェイス５ｂおよびＣＰＵ（中央演算処理装置）５ｃを含み、マイクロシリンジポンプ２の滴定制御、スターラ４の回転制御を行う。温度計６およびｐＨ電極７からの出力信号は、プリアンプ５ａで増幅、調整され、インターフェイス５ｂを介してＣＰＵ５ｃに入力される。ＣＰＵ５ｃは、これらの入力信号に基づいて、マイクロシリンジポンプ２の滴定量やスターラ４の回転速度を調整する。
【００３６】
温度計６は、滴定中の試料瓶８内の被検水の温度を測定し、ｐＨ電極７は、滴定中の試料瓶８内の被検水のｐＨを測定する。
【００３７】
試料瓶８は、内部に一定量の被検水を採取する計量器と、酸滴定時に被検水のｐＨを測定するための測定セルとを兼ねる試料計量瓶１０を構成する。
【００３８】
図２の外観図に示すように、試料計量瓶１０は、試料瓶８と、試料瓶８の内部に挿入され、試料瓶８の内部に充満する試料液を一定量排除する挿入部９ａを有する蓋体９とからなる。
【００３９】
試料瓶８に試料液である被検水が充満された状態で、挿入部９ａを試料瓶８の内部に挿入すると、挿入部９ａの体積分が排除され、一定量を越える分の被検水がオーバーフローすることで、試料瓶８の内部には一定量の被検水が採取されることになる。採取する被検水の量は、試料瓶８の容積と、挿入部９ａによる排除体積とで規定される。
【００４０】
試料瓶８が計量器と測定セルとを兼ねるには、計量後に容器を移し替えることなく、少なくとも温度計６およびｐＨ電極７が被検水中に挿入され、酸滴定によって酸が滴下されたとしても溢れ出ないように構成される必要がある。上記のように、計量後の試料瓶８内の被検水量は、試料瓶８の最大容量よりも挿入部９ａによる排除体積分だけ減少しているので、温度計６およびｐＨ電極７が被検水中に挿入され、さらに酸滴定によって酸が滴下されたとしても溢れ出ることはないように構成することが可能である。
【００４１】
したがって、試料計量瓶１０を用いることで、被検水を計量するとともに、試料瓶８を測定セルとして用いることができるので、被検水の移し替え操作も必要なく、計量後に速やかに滴定を開始することができる。したがって、全アルカリ度測定に要する時間を短縮することができる。
【００４２】
試料瓶８の容量は、たとえば２０〜２００ｍｌで、主に５０ｍｌ、１００ｍｌが使用される。挿入部９ａによる排除体積は、１０〜２０ｍｌで、試料瓶８の容量の１０〜５０％である。
【００４３】
以上のようにして被検水を計量した後は、図１に示すように、試料瓶８内部の一定量の被検水に温度計６、ｐＨ電極７およびマイクロシリンジポンプ２の滴下ノズル２ａを挿入する。
【００４４】
制御部５の制御により、マイクロシリンジポンプ２およびスターラ４を動作させ、これと同時に温度計６、ｐＨ電極７からの出力に基づいて被検水の液温およびｐＨ値を監視、記録する。
【００４５】
マイクロシリンジポンプ２からは、一定時間毎、たとえば１０秒間毎に、一定量、たとえば０．０５ｍｌの塩酸を試料瓶８内に滴下する。スターラ４は、一定の回転速度、たとえば７．０ｒｐｓで回転子４ａを回転させて被検水を撹拌する。
【００４６】
制御部５には、予め酸滴定の目的となるｐＨが、所定の記憶領域に記憶されており、制御部５のＣＰＵ５ｃは、ｐＨ電極７の出力に基づく被検水のｐＨ値と、目的ｐＨとを比較し、被検水のｐＨが目的ｐＨに達したときに、マイクロシリンジポンプ２で滴下した塩酸の滴下量を算出する。
【００４７】
酸滴定に用いる塩酸濃度は、予め定められる濃度であるので、被検水の量、塩酸の滴下量、塩酸濃度などから被検水に含まれるアルカリ成分の含有量を算出することができる。
【００４８】
全アルカリ度ATは、DOE(1994)Handbook of methods for the analysis of the various parameter of the carbon dioxide system in sea water.  Version 2,  A . G . Dickson & C. Goyet,  eds. ORNL/CDIAC-74より、以下の式（１）で算出できる。
【００４９】
式（１）に示すように、全アルカリ度ATは、プロトン供与体とプロトン受容体との差で定義される。
AT = [HCO3-] + 2[CO32-] + [B(OH)4-] + [OH-] + [HPO42-] + 2[PO43-] 
+ [SiO(OH)3-] + [NH3] + [HS-] + ・・・ - [H+]F - [HSO4-] - [HF]
- [H3PO4] -   …(1)
【００５０】
式（１）で定義される全アルカリ度は、当量点に相当するプロトン状態を定義するために式（２）に展開される。式（１）中に省略されているものについては、無視できるほど小さな存在のイオンであるため式（２）では使用しない。
[H+]F + [HSO4-] + [HF] + [H3PO4] = [HCO3-] + 2[CO32-] + [B(OH)4-] + [OH-] 
+ [HPO42-] + 2[PO43-] + [SiO(OH)3-] 
+ [NH3] + [HS-]                   …(2)
【００５１】
各滴定ポイントでの、水素イオンの全濃度CHは、式（３）で表現される。
CH = [H+]F + [HSO4-] + [HF] + [H3PO4] - [HCO3-] - 2[CO32-] - [B(OH)4-] 
- [OH-] - [HPO42-] - 2[PO43-] - [SiO(OH)3-] - [NH3] - [HS-]    …(3)
【００５２】
水素イオンの全濃度CHは、サンプル重量m0と、Cの濃度をもつ塩酸の総滴下量mから式（４）で表される。
CH = （mC - m0AT） / （m0+m）                                     …(4)
【００５３】
したがって、これと式（２）とを合わせると、式（５）が導き出される。
（mC - m0AT） / （m0+m） = [H+]F + [HSO4-] + [HF] + [H3PO4] - [HCO3-] 
- 2[CO32-] - [B(OH)4-] - [OH-]- [HPO42-] 
- 2[PO43-] - [SiO(OH)3-] - [NH3] - [HS-]                                                                             …(5)
【００５４】
次に、全炭酸濃度CTは、式（６）で定義される。
CT = [CO2*] + [HCO3-] + [CO32-]                                      …(6)
【００５５】
ここで、[CO2*]は、分析で区別することができない[CO2(aq)]と[H2CO3(aq)]を表している。今、全アルカリ度を求めるために、あらかじめ全炭酸を脱気させているため、CTを0μmol/kgとする。
【００５６】
CT以外の各イオン濃度を求めるために、まずは水素イオン濃度[H+]を求める。水素イオン濃度[H+]は、ネルンストの式より式（７）に表される。
E = E゜-(RT/F)ln[H+]                   …(7)
【００５７】
ここで、E゜は非線形最小二乗法により見積もられるため、[H+]は[H’]に置き換えられ、 式（７）と式（８）より、式（９）が算出される。
f = [H+]/[H’]                     …(8)
[H’]=exp{(E゜-E)/(RT/F)}                         …(9)
【００５８】
各パラメータは以下で表されるため、式（５）は式（１０）に書き換えられる。
BT = [B(OH)3]+[B(OH)4-]
ST = [HSO4-]+[SO42-]
FT = [HF]+[F-]
PT = [H3PO4]+[H2PO4-]+[HPO42-]+[PO43-]
SiT = [Si(OH)4]+[SiO(OH)3-]
NH3T = [NH4+]+[NH3]
H2ST = [H2S]+[HS-]
K1 = [H+][HCO3-]/[CO2*]
K2 = [H+][CO32-]/[HCO3-]
KB = [H+][B(OH)4-]/[B(OH)3]
KSi = [H+][SiO(OH)3-]/[Si(OH)4]
KNH3 = [H+][NH3]/[NH4+]
KH2S = [H+][HS-]/[H2S]
KS = [H+]F[SO42-]/[HSO4-]
KF = [H+][F-]/[HF]
K1P = [H+][H2PO4-]/[H3PO4]
K2P = [H+][HPO42-]/[H2PO4-]
K3P = [H+][PO43-]/[HPO42-]
[H+]F = [H+]/Z
Z = 1+ST/KS
AT = -BT{1/(1+(f[H’])/KB)}
-PT{(K1PK2P(f[H’])+2K1PK2PK3P
-(f[H’])3)/((f[H’])3+K1P(f[H’])2+K1PK2P(f[H’])+K1PK2PK3P)}
-SiT{1/(1+(f[H’])/KSi)}
-NH3T{1/(1+(f[H’])/KNH3)}
-H2ST{1/(1+(f[H’])/KH2S)}
+ST{1/(1+KSZ/(f[H’]))}
+FT{1/(1+KF/(f[H’]))}
+{(m0+m)/m0}{f[H’]/Z-KW/f[H’]}-m/m0*C        …(10)
【００５９】
塩分と液温より、K1、 K2、 KB、 KSi、 KNH3、 KH2S、 KS、 KF、 K1P、 K2P、 K3Pの項が求められ、分子量と塩分により、BT、 ST、 FT、 PT、 SiT、 NH3T、 H2STが求まる。このときK1は、さらにK1Factorが掛けられて求められる。これらの係数と、塩酸滴下量mと電位Eとを式（９）と式（１０）に代入することにより、各滴定毎の全アルカリ度が算出される。この各滴定ごとの全アルカリ度を“仮の全アルカリ度”とすると、次にその“仮の全アルカリ度”を用いて、ｐＨ３．５からｐＨ３の範囲で最も偏差が小さくなるように、式（９）のE゜を非線形最小二乗法から決める。そのときの“仮の全アルカリ度”の平均値が、最終的に全アルカリ度として決定される。
【００６０】
ここで、本発明の測定方法に用いる試料計量瓶を使用して、一定量の純水を量り取ったときの再現性について検証した。液温は１８．９℃で、１つの試料計量瓶を用いて繰り返し一定量の純水を量り取った。結果を表１に示す。
【００６１】
【表１】
0005055195.tif 000002
【００６２】
また、第１の実施形態である開放型滴定装置による測定方法を用いて、同一試料の全アルカリ度を測定し、その再現性を検証した。結果を表２に示す。
【００６３】
【表２】
0005055195.tif 000003
【００６４】
表１，２に示すように、大変良好な結果であり本発明は再現性に優れた測定方法であることが確認された。
【００６５】
次に本発明の第２実施形態について説明する。本発明の第２実施形態は、密閉型滴定装置による全アルカリ度および全炭酸濃度測定方法である。
【００６６】
第２実施形態が第１実施形態と異なるのは、酸滴定時に測定用蓋体を用いる構成、および滴定結果に基づいて制御部５が全アルカリ度に加えて全炭酸濃度を算出する構成である。
【００６７】
被検水の計量までの工程は、上記の第１実施形態と同様に、試料瓶８と蓋体９とからなる試料軽量瓶１０を用いる。
【００６８】
計量後、蓋体９を取り外し、蓋体９に代えて測定用蓋体２０を試料瓶８に装着する。図３は、測定用蓋体２０が装着された状態の試料瓶８の構成を示す外観図である。図３（ａ）は、試料瓶８を上から見た外観図であり、図３（ｂ）は、試料瓶８を横から見た外観図である。
【００６９】
測定用蓋体２０は、温度計６、ｐＨ電極７およびノズル２ａが貫通するように固定されるとともに試料瓶８内部の気液が外部に放出されないように、密閉する。
【００７０】
全炭酸濃度は、測定中に大気への二酸化炭素の放出があれば正確に測定ができないため、試料瓶８に測定用蓋体２０を装着して、密閉型の測定セルとし、大気と被検水との接触を防止することで全炭酸濃度の測定を可能としている。
【００７１】
なお、試料瓶８内部を完全に密閉した状態では、酸滴定による内部圧力変化が測定に影響を及ぼすため、測定用蓋体２０には、図示していないが、体積可変手段として、収縮可能な袋状部材、ベローズ、キャピラリなどを装着し、試料瓶８内の圧力変化を吸収できる手段を設けることが好ましい。
【００７２】
ここで、全アルカリ度測定および全炭酸濃度測定について説明する。
大気中のCO2は、海水中に吸収されると、ほぼ炭酸イオン[CO32-]と炭酸水素ナトリウム[HCO3-]で存在する。その海水試料液を被検水として酸滴定すると、図４のような炭酸イオン中和曲線を描くことができる。
【００７３】
ここで、プロットＡ（グラフ中では「○」で表示）は、第２実施形態である密閉型滴定装置を用いた場合のプロットであり、プロットＢ（グラフ中では「△」で表示）は、第１実施形態である開放型滴定装置および第２実施形態である密閉型滴定装置を用いた場合の共通のプロットである。
【００７４】
全アルカリ度測定は、被検水に所定のｐＨまで酸を滴定することで、海水の酸消費量を見積もっている。一方全炭酸濃度は、酸滴定によって被検水に溶存している炭酸が脱気されることを利用して測定する。また、全アルカリ度、全炭酸濃度ともに変化するｐＨ電極の電位[mV]と酸の滴下量とを記録することで算出できる。
【００７５】
全アルカリ度および全炭酸濃度は、DOE(1994)Handbook of methods for the analysis of the various parameter of the carbon dioxide system in sea water.  Version 2,  A . G . Dickson & C. Goyet.  eds. ORNL/CDIAC-74より、以下の式（１）および式（６）で算出できる。
【００７６】
式（１）に示すように、全アルカリ度ATは、プロトン供与体とプロトン受容体との差で定義される。
AT = [HCO3-] + 2[CO32-] + [B(OH)4-] + [OH-] + [HPO42-] + 2[PO43-]
+ [SiO(OH)3-] + [NH3] + [HS-] + ・・・ - [H+]F - [HSO4-] - [HF]
- [H3P O4] -   …(1)
【００７７】
式（１）で定義される全アルカリ度は、当量点に相当するプロトン状態を定義するために式（２）に展開される。式（１）中に省略されているものについては、無視できるほど小さな存在のイオンであるため式（２）では使用しない。
[H+]F + [HSO4-] + [HF] + [H3PO4] = [HCO3-] + 2[CO32-] + [B(OH)4-] + [OH-] 
+ [HPO42-] + 2[PO43-] + [SiO(OH)3-] 
+ [NH3] + [HS-]                   …(2)
【００７８】
各滴定ポイントでの、水素イオンの全濃度CHは、式（３）で表現される。
CH = [H+]F + [HSO4-] + [HF] + [H3PO4] - [HCO3-] - 2[CO32-] - [B(OH)4-]
- [OH-] - [HPO42-] - 2[PO43-] - [SiO(OH)3-] - [NH3] - [HS-]  …(3)
【００７９】
水素イオンの全濃度CHは、サンプル重量m0と、Cの濃度をもつ塩酸の総滴下量mから式（４）で表される。
CH = （mC - m0AT） / （m0+m）                                     …(4)
【００８０】
したがって、これと式（２）とを合わせると、式（５）が導き出される。
（mC - m0AT） / （m0+m） = [H+]F + [HSO4-] + [HF] + [H3PO4] - [HCO3-] 
- 2[CO32-] - [B(OH)4-] - [OH-]- [HPO42-]
- 2[PO43-] - [SiO(OH)3-] - [NH3] - [HS-]                                                                             …(5)
【００８１】
次に、全炭酸濃度CTは、式（６）で定義される。
CT = [CO2*] + [HCO3-] + [CO32-]                                    …(6)
【００８２】
ここで、[CO2*]は、分析で区別することができない[CO2(aq)]と[H2CO3(aq)]を表している。
【００８３】
各イオン濃度を求めるために、まずは水素イオン濃度[H+]を求める。水素イオン濃度[H+]は、ネルンストの式より式（７）で表される。
E = E゜-(RT/F)ln[H+]                   …(7)
【００８４】
ここで、E゜は非線形最小二乗法により見積もられるため、[H+]は[H’]に置き換えられ、 式（７）と式（８）より、式（９）が算出される。
f = [H+]/[H’]                     …(8)
[H’] = exp{(E゜-E)/(RT/F)}                         …(9)
【００８５】
各パラメータは以下で表されるため、各イオン濃度は式（１０）と式（１１）とで表される。
BT = [B(OH)3]+[B(OH)4-]
ST = [HSO4-]+[SO42-]
FT = [HF]+[F-]
PT = [H3PO4]+[H2PO4-]+[HPO42-]+[PO43-]
SiT = [Si(OH)4]+[SiO(OH)3-]
NH3T = [NH4+]+[NH3]
H2ST = [H2S]+[HS-]
K1 = [H+][HCO3-]/[CO2*]
K2 = [H+][CO32-]/[HCO3-]
KB = [H+][B(OH)4-]/[B(OH)3]
KSi = [H+][SiO(OH)3-]/[Si(OH)4]
KNH3 = [H+][NH3]/[NH4+]
KH2S = [H+][HS-]/[H2S]
KS = [H+]F[SO42-]/[HSO4-]
KF = [H+][F-]/[HF]
K1P = [H+][H2PO4-]/[H3PO4]
K2P = [H+][HPO42-]/[H2PO4-]
K3P = [H+][PO43-]/[HPO42-]
[H+]F = [H+]/Z
Z = 1+ST/KS
AT = -BT{1/(1+(f[H’])/KB)}
-PT{(K1PK2P(f[H’])+2K1PK2PK3P
-(f[H’])3)/((f[H’])3+K1P(f[H’])2+K1PK2P(f[H’])+K1PK2PK3P)}
-SiT{1/(1+(f[H’])/KSi)}
-NH3T{1/(1+(f[H’])/KNH3)}
-H2ST{1/(1+(f[H’])/KH2S)}
+ST{1/(1+KSZ/(f[H’]))}
+FT{1/(1+KF/(f[H’]))}
+{(m0+m)/m0}{f[H’]/Z-KW/f[H’]}-m/m0*C        …(10)
CT = {(K1f[H’]+2K1K2)/((f[H’])2+K1f[H’]+K1K2)}         …(11)
【００８６】
塩分と液温より、K1、 K2、 KB、 KSi、 KNH3、 KH2S、 KS、 KF、 K1P、 K2P、 K3Pの項が求められ、分子量と塩分により、BT、 ST、 FT、 PT、 SiT、 NH3T、 H2STが求まる。このときK1は、さらにK1Factorが掛けられて求められる。これらの係数と、塩酸滴下量mと電位Eとを式（９）と式（１０）、式（１１）に代入することにより、各滴定毎の全炭酸濃度と全アルカリ度が算出される。
【００８７】
このとき、ｘ軸に式（１１）の算出値を、ｙ軸に式（１０）の算出値を滴定ごとにプロットすると、図５に示すようなグラフが得られる。このプロットを用いて、直線性が最も高くなるように、式（９）のE゜とK1Factorとを非線形最小二乗法から決定する。
【００８８】
図５に示したプロットは、ｘ軸がCTを表しているので、全炭酸濃度は、一定量の酸滴下量に対する変化量（つまり、直線近似式の傾き）から得られる。一方全アルカリ度ATは、二酸化炭素が脱気され、式（１）に示されるイオンの差が求まる点（つまり、直線近似式の切片）から得られる。
【００８９】
したがって、第２実施形態では制御部５が、酸滴定の結果に基づいて、たとえば近似直線を作成し、その傾きと切片とから全アルカリ度および全炭酸濃度を算出することができる。
【００９０】
以上のように、第２実施形態では、測定用蓋体２０を装着し、試料瓶８内に被検水を密閉した状態で酸滴定を行うので、全アルカリ度だけでなく全炭酸濃度も測定することができる。
【００９１】
なお、図４、図５に示した滴定曲線およびプロットは、本発明の測定方法に基づいて、実際に海水を酸滴定して全アルカリ度、全炭酸濃度測定を行った結果であり、図５のプロットから、全アルカリ度が２２９２．２３［μmol/kg］、全炭酸濃度が２１０５．２１［μmol/kg］であった。
第２の実施形態である密閉型滴定装置による測定方法を用いて、同一試料の全アルカリ度、全炭酸濃度およびｐＨを測定し、その再現性を検証した。結果を表３に示す。
【００９２】
【表３】
0005055195.tif 000004
【００９３】
表３に示すように、大変良好な結果であり本発明は再現性に優れた測定方法であることが確認された。
【００９４】
次に本発明の第３実施形態について説明する。本発明の第３実施形態は、第１実施形態と同じく開放型滴定装置による全アルカリ度測定方法であるが、ｐＨ電極によって滴定中の被検水のｐＨ測定をするのではなく、比色試薬（ｐＨ指示薬）を用いた比色分析によってｐＨを測定する。
【００９５】
図６は、本発明の全アルカリ度測定方法に用いる全アルカリ度測定装置１の構成を示す概略図である。
【００９６】
第１実施形態と異なる構成は、ｐＨ電極７を用いず光源３０と検出器３１とを含み、光源からの光を測定セルである試料瓶８の側方から照射し、試料瓶８および被検水を透過した透過光を検出器３１で検出する、いわゆる吸光光度分析手段でｐＨ指示薬を含む被検水のｐＨを測定する。
【００９７】
光源３０は、たとえばタングステンランプ、キセノンランプ、発光ダイオード（略称ＬＥＤ）などを備える光の出射源である。検出器３１は、たとえばフォトダイオードなどによって構成され、被検水を透過した透過光を受光して電気信号に変換する。
【００９８】
ｐＨ指示薬は、被検水と塩酸との混合液のｐＨに応じて色が変化し、ｐＨ指示薬が混合した被検水を透過した光の強度は、ｐＨ指示薬の発現する色に応じて減衰する。検出器３１は、受光した光の強度に対応した電気信号を出力するので、その出力の強弱に基づいて被検水のｐＨ値を測定することができる。
【００９９】
比色分析を用いるためには、試料瓶８は透明度が高い、たとえばパイレックス（登録商標）ガラスを用いることが好ましい。
【０１００】
制御部５は、滴定制御、回転制御に加えて光源３０の出力制御を行う。検出器３１からの出力信号は、プリアンプ５ａに入力され、インターフェイス５ｂを介してＣＰＵ５ｃに入力される。ＣＰＵ５ｃは、検出器３１からの出力信号に基づいて被検水のｐＨ値を算出する。
【０１０１】
ｐＨ電極７によるｐＨ測定であっても、ｐＨ指示薬によるｐＨ測定であっても滴定結果は、塩酸の滴下量であるので、全アルカリ度の算出手順などについては第１実施形態と同様に行えばよい。
【０１０２】
次に本発明の第４実施形態について説明する。本発明の第４実施形態は、第１実施形態と同じく密閉型滴定装置による全アルカリ度および全炭酸濃度測定方法であるが、ｐＨ電極によって滴定中の被検水のｐＨ測定をするのではなく、比色試薬を用いた比色分析によってｐＨを測定する。
【０１０３】
第４実施形態が第３実施形態と異なるのは、酸滴定時に測定用蓋体２０を用いる構成、および滴定結果に基づいて制御部５が全アルカリ度に加えて全炭酸濃度を算出する構成である。
【０１０４】
被検水の計量までの工程は、上記の各実施形態と同様に、試料瓶８と蓋体９とからなる試料軽量瓶１０を用いる。
【０１０５】
計量後、蓋体９を取り外し、蓋体９に代えて測定用蓋体２０を試料瓶８に装着する。ただし、本実施形態では、ｐＨ電極７を用いないので、測定用蓋体２０は、温度計６とノズル２ａが貫通するように固定されるとともに試料瓶８内部の気液が外部に放出されないように、密閉する。
【０１０６】
試料瓶８内部を完全に密閉した状態では、酸滴定による内部圧力変化が測定に影響を及ぼすため、第２実施形態と同じように、測定用蓋体２０には、体積可変手段として、収縮可能な袋状部材、ベローズ、キャピラリなどを装着し、試料瓶８内の圧力変化を吸収できる手段を設けることが好ましい。
【図面の簡単な説明】
【０１０７】
【図１】本発明の全アルカリ度測定方法に用いる全アルカリ度測定装置１の構成を示す概略図である。
【図２】試料計量瓶１０の構成を示す外観図である。
【図３】測定用蓋体２０が装着された状態の試料瓶８の構成を示す外観図である。
【図４】炭酸イオン中和曲線の例を示すグラフである。
【図５】全アルカリ度および全炭酸濃度算出用プロットの例を示すグラフである。
【図６】本発明の全アルカリ度測定方法に用いる全アルカリ度測定装置１の構成を示す概略図である。
【符号の説明】
【０１０８】
１  全アルカリ度測定装置
２  マイクロシリンジポンプ
３  酸貯留タンク
４  スターラ
５  制御部
６  温度計
７  ｐＨ電極
８  試料瓶
９  蓋体
１０  試料計量瓶
２０  測定用蓋体
３０  光源
３１  検出器
【図１】
0005055195.tif 000005
【図２】
0005055195.tif 000006
【図３】
0005055195.tif 000007
【図４】
0005055195.tif 000008
【図５】
0005055195.tif 000009
【図６】
0005055195.tif 000010